(57)【特許請求の範囲】
【請求項１】
正面視で、矩形状の透明又は半透明の第１の部材と、
この第１の部材と同一形状であって、前記第１の部材と外周縁が一致し、かつ、平行に配置された透明又は半透明の第２の部材と、
前記第１の部材と前記第２の部材との間に所定間隔を隔てて設けられると共に、前記第１の部材の一辺に平行であって、前記第１の部材及び前記第２の部材を接続する複数の接続部材と、
前記第１の部材、前記第２の部材、隣接する前記接続部材で形成された複数の収納部と、
この収納部に収納され、長手方向に長い長手形状部材と、
を備え、
前記複数の収納部にそれぞれ前記長手形状部材が収納され、
前記長手形状部材の先端部が切断され、
隣接する前記長手形状部材の先端部により、正面視で図形を形成する
ことを特徴とする構造体。
【発明の詳細な説明】
【技術分野】
【０００１】
本発明は、構造体に係り、特に、簡易に製造することができる構造体に関する。
【背景技術】
【０００２】
従来、構造体、例えば、長手方向に長い長手形状部材を隙間を介して並設した間仕切り壁がある（特許文献１参照）。
【先行技術文献】
【特許文献】
【０００３】
【特許文献１】意匠登録第１２４５００７号公報
【発明の概要】
【発明が解決しようとする課題】
【０００４】
しかしながら、上記間仕切り壁にあっては、細長い長手形状部材を均一な間隔で保持し並設するため、細長い長手形状部材を上下左右の支持部材で固定しなければならず、簡易に製造できないという問題点が生じた。
【０００５】
本発明は、前記問題点を考慮してなされたもので、簡易に製造することができる構造体を提供することを目的とする。
【課題を解決するための手段】
【０００６】
請求項１記載の構造体は、正面視で、矩形状の透明又は半透明の第１の部材と、この第１の部材と同一形状であって、前記第１の部材と外周縁が一致し、かつ、平行に配置された透明又は半透明の第２の部材と、前記第１の部材と前記第２の部材との間に所定間隔を隔てて設けられると共に、前記第１の部材の一辺に平行であって、前記第１の部材及び前記第２の部材を接続する複数の接続部材と、前記第１の部材、前記第２の部材、隣接する前記接続部材で形成された複数の収納部と、この収納部に収納され、長手方向に長い長手形状部材とを備え、前記複数の収納部にそれぞれ前記長手形状部材が収納され、前記長手形状部材の先端部が切断され、隣接する前記長手形状部材の先端部により、正面視で図形を形成するものである。
【発明の効果】
【００１２】
請求項１記載の構造体によれば、第１の部材、第２の部材、隣接する接続部材で形成された複数の収納部に長手方向に長い長手形状部材を収納することにより、簡易に構造体を製作することができ、長手形状部材の外観を透明又は半透明の第１の部材又は第２の部材を介して見ることができ、また、複数の収納部にそれぞれ長手形状部材が収納され、前記長手形状部材の先端部が切断され、隣接する前記長手形状部材の先端部により、正面視で図形を容易に形成することができる。
【図面の簡単な説明】
【００１８】
【図１】図１は、本発明の一実施例の構造体の概略的斜視図である。
【図２】図２は、図１の一部を分解して示す概略的一部分解斜視図である。
【図３】図３は、図１の構造体の概略的正面図である。
【図４】図４（ａ）は、図３の概略的断面図であり、図４（ｂ）は、図４（ａ）の一部を拡大して示す概略的一部拡大断面図である。
【図５】図５は、図３の一部を拡大して示す概略的一部拡大正面図である。
【図６】図６は、図５の概略的断面図である。
【図７】図７は、図１の構造体の形成方法を示す概略的斜視図である。
【図８】図８は、図６の構造体と異なる他の実施例の概略的断面図である。
【図９】図９は、図１の構造体と異なる他の実施例の概略的正面図である。
【図１０】図１０（ａ）は、図９の概略的断面図であり、図１０（ｂ）は、図１０（ａ）の一部を拡大した概略的一部拡大断面図である。
【図１１】図１１は、図１の構造体と異なる他の実施例の概略的斜視図である。
【発明を実施するための形態】
【００１９】
本発明の一実施例の構造体を図面（図１乃至図７）を参照して説明する。
【００２０】
図１及び図３に示すＫは、間仕切壁、ドア、天井壁等に使用される構造体で、構造体Ｋは、正面視で、矩形状の透明又は半透明の第１の部材１と、この第１の部材１と同一形状であって、第１の部材１と外周縁が一致し、かつ、平行に配置された透明又は半透明の第２の部材２とを有する。
構造体Ｋは、床Ｆと天井Ｃに支持された支持部材１００に補助部材２００を介して取り付けられている。
【００２１】
また、図６及び図７に示す３は接続部材で、接続部材３は、透明又は半透明であって、第１の部材１と第２の部材２との間に所定間隔を隔てて設けられると共に、第１の部材１の一辺ＢＣ、ＤＡに平行であって、第１の部材１及び第２の部材２を接続するもので、複数設けられている。
そして、第１の部材１、第２の部材２、隣接する接続部材３で収納部４が形成され、収納部４は複数形成されている。収納部４には、長手方向に長い長手形状部材５が収納されている。長手形状部材５の収納部４への収納は、図５乃至図７に示すように、一つ置きにしても良いし、全ての収納部４に長手形状部材５を収納するようにしても良い。
なお、第１の部材１、第２の部材２、接続部材３は、合成樹脂（例えば、ポリカーボネート）で一体的に形成されている。
【００２２】
従って、上述した構造体Ｋ（又は構造体の形成方法）によれば、図７に示すように、第１の部材１、第２の部材２、隣接する接続部材３で形成された複数の収納部４に長手方向に長い長手形状部材５を収納することにより、簡易に構造体Ｋを製作することができ、長手形状部材５の外観を透明又は半透明の第１の部材１又は第２の部材２を介して見ることができる。
また、長手形状部材５の外観を透明又は半透明の第１の部材１又は第２の部材２を介して見ることができることから、個々の長手形状部材５に個々の模様を付し、正面視で、隣接する長手形状部材５全体で模様を構成するようにしても良い。
【００２３】
なお、特に、長手形状部材５の素材が木である場合、長手形状部材５が湿気等により変形しようとしても、第１の部材１、第２の部材２、隣接する接続部材３で形成された収納部４により長手形状部材５の変形が拘束されるため、湿気等の影響を受けないで、構造体Ｋの見栄えを良好に保つことができる。
【００２４】
また、図１及び図２に示すＳ１、Ｓ２は、複数の収納部４の両端にそれぞれ長手形状部材５が収納部４から離脱するのを防ぐストッパーで、このストッパーＳ１、Ｓ２により、収納部４に長手形状部材５を保持することができる。
【００２５】
また、構造体Ｋは、第１の部材１と第２の部材２とを接続部材３により接続したが(図６参照)、本願発明にあっては、これに限らず、図８に示すように、第１の部材１と第２の部材２との間に第１の部材１及び第２の部材２と同一形状の第３の部材１０を設け、第１の部材１と第３の部材との間に所定間隔を隔てて設けられると共に、第１の部材１の一辺に平行であって、第１の部材１及び第３の部材１０を接続する複数の接続部材３、第１の部材１の一辺に平行であって、第２の部材２及び第３の部材１０を接続する複数の接続部材３’を設けるようにしても良い。
【００２６】
また、図９に示すように、隣接する長手形状部材５の先端部により、正面視で図形、例えば、円を形成するようにしても良い。
係る場合、複数の収納部４にそれぞれ長手形状部材５が収納され、長手形状部材５の先端は、例えば、弧状に切断され、隣接する長手形状部材５の先端部により、円の図形を形成している。
なお、長手形状部材５の一端〔図１０（ａ）（ｂ）参照〕、長手形状部材５の他端が、収納部４に接着剤で接着されている。長手形状部材５の一端、長手形状部材５の他端の内、ストッパーＳ２があれば、ストッパーＳ２に当接する長手形状部材５の一端又は他端は上述の接着剤は不要である。
【００２７】
なお、本願発明の構造体Ｋの取り付けにあっては、図１及び図２記載に限らず、図１１記載のように、構造体Ｋは、床(図示せず)と天井(図示せず)に支持された支持部材１００’に補助部材２００’を介して取り付けられるようにしても良い。
【符号の説明】
【００２８】
Ｋ        構造体
１        第１の部材
２        第２の部材
３        接続部材
４        収納部
【図１】
0006429611.tif 000002
【図２】
0006429611.tif 000003
【図３】
0006429611.tif 000004
【図４】
0006429611.tif 000005
【図５】
0006429611.tif 000006
【図６】
0006429611.tif 000007
【図７】
0006429611.tif 000008
【図８】
0006429611.tif 000009
【図９】
0006429611.tif 000010
【図１０】
0006429611.tif 000011
【図１１】
0006429611.tif 000012